(57)【特許請求の範囲】
【請求項１】
環境試験装置のウイック用水保有容器と加湿用水保有容器とにポンプを介して水を供給可能な水回路において、
ソケット状管継手であってそれぞれが接続されると開通し接続が離されると閉鎖するように形成された一方側部材及び他方側部材から成り相互間が嵌脱によって接離容易なように形成されたソケット状管継手の前記一方側部材が取り付けられた水出口と少なくとも外気を導入可能な空気用開口部とを備えていて前記水が入れられる可搬式の貯水容器と、前記他方側部材が前記一方側部材と接続可能なように設けられた前記ソケット状継手と、前記貯水容器の前記水が入れられるように前記他方側部材と接続され前記水が取り出されるように前記ポンプと接続されて固定配置され前記貯水容器より十分小さい所定の容積になっていて前記水の水位を検出可能な水位検出手段と外気に導通する導通口とを備えた小貯水容器と、を有することを特徴とする水回路。
【請求項２】
前記空気用開口部に逆止弁を設けたことを特徴とする請求項１に記載の水回路。
【請求項３】
前記小貯水容器より十分大きい容積を持ち該小貯水容器より高い位置に設けられた補給水容器と該補給水容器から前記小貯水容器への水の補給を可能にする補給用管系と該補給用管系に設けられ前記水位検出手段で検出した水位に対応して開閉される開閉弁とを有することを特徴とする請求項１又は２に記載の水回路。
【発明の詳細な説明】
【０００１】
【発明の属する技術分野】
本発明は、環境試験装置のウイック用水保有容器と加湿用水保有容器とにポンプを介して水を供給可能な水回路に関し、特にウイックパン及び加湿器への水補給技術に好都合に利用される。
【０００２】
【従来の技術】
ウイック及び加湿器に水を補給する方式としては、ポンプ圧送式とヘッドタンク式とがある。ポンプ圧送式では、ヘッドタンク式における水漏れトラブル、ヘッドタンクへの水補給のための高所への水の運搬作業、エアーロックによる水補給の不良、等の問題を解消することができる。
【０００３】
このようなポンプ圧送式水回路としては、電磁ポンプを用いてウイックに供給する水量を制御するようにした装置が示されている（特開平１０−２４６６７５号公報参照）。この装置では、電磁ポンプに水を供給するタンクとして、給水タンクとこれに水を補給可能なようにこの上に積み重ねて置かれた可搬式の携帯タンクとが設けられている。
【０００４】
しかしながら、このような装置では、携帯タンク自体の高さ及びこれを給水タンクから持ち上げるための高さが必要であるため、基本的に高さが高く大きい設置スペースが必要になると共に、水回路が装備される環境試験装置の構造によっては、特に小形のもの等においてこのような高さスペースが許容されないことが多い。
【０００５】
なお、ヘッドタンク方式の水回路としては、補給水タンクを水入れのために運搬できるように着脱可能にし、このタンクの水をポンプによってヘッドタンクからなる給水タンクに揚水するようにした装置が従来から知られている（特開平１−１６７５４０号公報第２図及び関連説明参照）。しかしながら、この装置では、当然に前記のようなヘッドタンク方式のときの問題が解決されない。
【０００６】
一方、上記公報では、加湿器皿と湿球センサ皿との中間位置に着脱可能な給水タンクを配置し、高い位置になる湿球センサ皿には給水ポンプで給水し低い位置になる加湿器皿には電磁弁を介して水位差で給水すると共に、加湿器用フロートスイッチの水補給のための下限検知が数十秒間継続すると、給水タンクの水切れとしてこれを警報するようにした給水装置が提案されている。
【０００７】
しかしながら、この装置では、前記ヘッドタンク方式のときの問題点があると共に、警報後の運転継続可能時間が短いため給水タンクの水補給のための時間的余裕がなく、使用上不便であり、装置の継続運転に支障が生ずる可能性もある。即ち、給水タンクを着脱式にするために、電気配線が接続されるフロートスイッチをタンク自体に取り付けられないため、水切れ警報に関するこのような問題が生ずる。
【０００８】
【発明が解決しようとする課題】
以上のような諸問題を解決できる水回路としては、貯水タンクを固定的に配置し、これに水位センサを設けて貯水タンクの低水位を警報し、警報後であっても環境試験装置の運転を継続可能にし、貯水タンクには別の可搬式タンクで着脱継手等を介して補水できるようにし、貯水タンクからウイックパン及び加湿皿にポンプで給水する装置が考えられる。
【０００９】
しかしながら、このような装置では、貯水タンクへの水補給時に水がこぼれたりタンクから溢れたりするおそれがあると共に、通常狭い所に設置されるため貯水タンクの清掃が難しいという問題がある。
【００１０】
そこで本発明は、上記諸問題を解決し、環境試験装置において占有する配置スペースが小さく、環境試験装置周りでの水漏れ等のおそれがなく、貯水容器の清掃が容易で、環境試験装置の連続運転が妨げられることがなく、確実に水を供給できる水回路を提供することを課題とする。
【００１１】
【課題を解決するための手段】
本発明は上記課題を解決するために、請求項１の発明は、環境試験装置のウイック用水保有容器と加湿用水保有容器とにポンプを介して水を供給可能な水回路において、
ソケット状管継手であってそれぞれが接続されると開通し接続が離されると閉鎖するように形成された一方側部材及び他方側部材から成り相互間が嵌脱によって接離容易なように形成されたソケット状管継手の前記一方側部材が取り付けられた水出口と少なくとも外気を導入可能な空気用開口部とを備えていて前記水が入れられる可搬式の貯水容器と、前記他方側部材が前記一方側部材と接続可能なように設けられた前記ソケット状継手と、前記貯水容器の前記水が入れられるように前記他方側部材と接続され前記水が取り出されるように前記ポンプと接続されて固定配置され前記貯水容器より十分小さい所定の容積になっていて前記水の水位を検出可能な水位検出手段と外気に導通する導通口とを備えた小貯水容器と、を有することを特徴とする。
【００１２】
請求項２の発明は、上記に加えて、前記空気用開口部に逆止弁を設けたことを特徴とする。
【００１３】
請求項３の発明は、請求項１又は２の発明の特徴に加えて、前記小貯水容器より十分大きい容積を持ち該小貯水容器より高い位置に設けられた補給水容器と該補給水容器から前記小貯水容器への水の補給を可能にする補給用管系と該補給用管系に設けられ前記水位検出手段で検出した水位に対応して開閉される開閉弁とを有することを特徴とする。
【００１４】
【発明の実施の形態】
図１及び図２は本発明を適用した水回路及びこの水回路を装備した環境試験装置の概略構成の一例を示す。
水回路は、環境試験装置１のウイック用水保有容器であるウイックパン１１と加湿用水保有容器である加湿皿１２にポンプ３を介して水を供給可能なものであり、主要構成部分として、貯水容器４、ソケット状管継手である継手５、小貯水容器である水位センサ容器６、等を有する。図２において二点鎖線でその設置位置を示している符号７のものは、後述する図３の水回路用の補給用水タンクである。
【００１５】
本例の環境試験装置１は小形の簡単な構造のものであり、通常の構成部分として、試験室１３、空調室１４、これらの間で空調された空気を循環させる送風機１５、これを回転駆動するモータ１５ａ、加熱器１６、冷凍機の蒸発器からなる冷却器１７、冷凍機の圧縮機１８、凝縮器１９、その冷却ファン２０、試験室及び空調室を囲う断熱壁２１及び扉２２、装置の支持構造体２３、等を備えている。本体部分の上は操作表示部２５になっている。
【００１６】
ウイックパン１１には、先端側にウイック１１１が被せられる湿球温度センサ１１２が導設され、後端側に水位検出用のフロートスイッチ１１３が入れられたウイックパン給水器１１４が取り付けられていて、この給水器１１４を介してウイック用の水が補給されるようになっている。又、湿球温度センサと共に温度センサ２４が設けられていて、図示しない制御装置により、これらのセンサの検出値に対応して試験室１３内の温度及び湿度が制御されるようになっている。
【００１７】
加湿皿１２には、入れられた水を加熱して加湿用水蒸気を発生させるヒータ１２１が配設されている。なお本例では、ウイックパン１１及び加湿皿１２が共に試験室１３及び空調室１４の床面位置に同レベルに配置され、これらの水位が前記フロートスイッチ１１３によって同時に一元的に制御されるようになっていて、加湿器に対しては水位センサが設けられていない。
【００１８】
但し、ウイックパン１１と加湿皿１２が異なった高さ位置に設けられていて、加湿皿１２の水位がウイックパンとは別の水位センサで制御されていたりウイックパンのオーバーフロー水が供給されるような水回路や、閉鎖された容器内で水蒸気を発生させこれを空調室１４内に突出させたノズルから発散させるようにしたボイラ式の加湿器を持つ水回路に対しても本発明を適用できることは勿論である。即ち、ウイックパンや加湿器の形式や装備位置、又空調室内の機器の配置等に関係なく、種々の構造の環境試験装置に対して本発明を広く適用することができる。
【００１９】
ポンプ３は、小容量で小揚程の適当な形式のものでよいが、本例では簡単な構造の電磁ポンプが使用されている。このポンプ３は、上記の如くウイックパン給水器１１４の水位センサによって自動発停され、共通の管系３１を介してウイックパン１１及び加湿皿１２に送水し、ウイックパン１１及び加湿皿１２の水位が一定範囲になるように、蒸発によって消費された水を補給する。なお、ポンプ３は、予め定められたほぼ一定の水量を供給するように一定時間運転されたり、環境試験装置の運転条件に対応して運転時間を変えるように制御されてもよい。
【００２０】
貯水容器４は、管継手５の一方側部材である雄形継手５１又は雌形継手５２の何れか一方として本例では雌形継手５２が取り付けられた水出口４１と少なくとも外気を導入可能な空気用開口部である吸気口４２とを備えていて、前記ポンプ３で供給される水が入れらる可搬式の容器である。即ち、人手で運搬可能な程度の大きさと重さで固定されず一定の場所に置いて使用されるように形成されている。
【００２１】
吸気口４２は、外気を導入可能なように水が入れられたときの水面４３より高い位置に設けられるが、本例では上端の水入れ用のキャップ４４に設けられている。又、この吸気口４２には、内部から外部への導通を遮断し矢印の如く外部から内部への吸気を可能にする逆止弁４５が設けられている。
【００２２】
なお、本例のように逆止弁４５を設けて空気用開口部を吸気専用のものにすれば、これからの溢水のおそれがなくなり、取り扱いや操作が容易になり、溢水の可能性があるような装着構成の場合でも、溢水のためのオーバーフロー管が不要になって管系が簡素になる。但し、溢水のおそれがない場合には逆止弁４５を取り止めて単なる開口にしたり、図において二点鎖線で示すように、吸気口４２を開口させ、逆止弁４５に代えてオーバーフロー管４６を導設するようにしてもよい。
【００２３】
貯水容器４の寸法はこれを装備する環境試験装置に対応して定められるが、本例の小形環境試験装置用の貯水容器４は長さ５０ｃｍ、幅２８ｃｍ、高さ７．５ｃｍ程度の寸法のもので貯水する実容積が５．５リットル程度であり、前述の如く人手で運搬可能なように定められている。本発明の水回路はポンプ送水式のものであるから、この貯水容器４は環境試験装置１の低い位置に配置されればよいが、本例では、支持構造体２３の空間部分の定められた位置に置かれるようになっている。即ち、図１（ｃ）に示す如く、支持構造体２３に形成された支持台２３１及び両側のガイド２３２で形成された棚状の空間部に設置される。
【００２４】
継手５は、それぞれが接続されると開通し接続が離されると閉鎖するように形成された前記雄形継手５１及び雌形継手５２から成り、取付部５１ａ、５２ａ、嵌合部５１ｂ、５２ｂを備え、相互間が嵌脱によって接離容易なように形成されている。即ち、詳細図示を省略するが、継手５は通常のワンタッチ継手であり、それぞれの雄雌形継手５１、５２が単独状態ではバネで付勢されて閉鎖位置になる弁を備えていて、それぞれが結合されるとバネ力に抗して弁が押されて開通し、内部を水が通過できる構造になっていると共に、バネで付勢された連結構造部を備えていて、相互間に挿抜方向の力を加えるだけで相互間が嵌脱する構造になっている。
【００２５】
継手５の他方側部材である雄形継手５１は、雌形継手５２を接続可能なように設けられるが、本例では、雄形継手５１にフレキシブルな接続管５３を取り付け、これを、貯水容器４に取り付けられ支持台２３１上に置かれた雌形継手５２に差し込むようにしている。
【００２６】
但し、貯水容器４の設置位置等によっては、操作を容易にするために、雄形継手５１を一定位置に固定設置し、貯水容器４を扉２２のある前面側からガイド２３２に沿わせて支持台２３１上をカセット式に前後方向にスライド移動させると、先端の雌形継手５２も前後方向に動いて、雄形継手５１と左右び高さ方向位置が一致し、雄雌継手を嵌脱させることができるような構造にすることも可能である。
【００２７】
水位センサ容器６は、固定配置されていて、貯水容器４の水が入れられるように吸込口６１及び前記接続管５３を介して雄形継手５１と接続されている。又、水を取り出せるように送水口６２を介してポンプ３と接続されている。そして、水の水位を検出可能な水位検出手段として、貯水容器４内に水を補給すべき水位である「給水」ｈ１  及びポンプ３及び管系３１への空気吸い込みを防止するためにポンプ３が運転されていてもこれを停止させるべき水位である「渇水」ｈ２  を検出する低水位用フロートスイッチ６３を備えている。
【００２８】
なお本例では、オーバーフロー直前の状態である「満水」ｈ３  を検出する高水位用フロートスイッチ６４も設けられている。これらのｈ１  、ｈ２  及びｈ３  が検出されると、その検出値が表示や警報等の通常の手段によって運転操作に利用される。そのため本例では、環境試験装置１の上部の操作表示部２５にそれぞれの警報ランプ２５１〜２５３が設けられている。
【００２９】
水位センサ容器６は更に、外気と導通する導通口であるオーバーフロー管６５を備えている。オーバーフロー管６５は、オーバーフローのための仕切壁６６を越えたところの空間位置に設けられている。符号６７は、ポンプ３への送水口６２部分に設けられたメッシュフィルタである。これにより、水位センサ容器６がストレーナーとしての機能を持つことになり、ポンプ３への異物の流入が防止される。
【００３０】
このような水位センサ容器６は、貯水容器４より十分小さい所定の容積のものである。本例では、ウイックパン給水器１１４のフロートスイッチ１１３によるウイックパン１１内の低水位検出によってポンプ３が運転され、これによってウイックパン１１及びその給水器１１４に必要な水が補給されるときの水量が約２６ｃｃであり、水位センサ容器６の容積は、前記「給水」ｈ１  から「渇水」ｈ２  までの水量が上記２６ｃｃの水量より倍近い容積の５０ｃｃ程度になるように定められている。
【００３１】
そして、水位センサ容器６は、長さ１２ｃｍ、幅６ｃｍ、高さ８ｃｍ程度の寸法のものになっていて、十分小さい所定の容積として貯水容器４の１／２０以下の大きさである。その結果、水位センサ容器６は十分小さく、どこにでも配置でき、本例の如く貯水容器４と同レベルで支持構造体２３部分に配置することが可能になる。それにより、環境試験装置の全体の高さを低くしその省スペース化を図ることができる。
【００３２】
以上のような水回路及びこれを装備した環境試験装置は次のように運転されてその作用効果を発揮する。
ウイックパン１１及び加湿皿１２には、貯水容器４の水が水位センサ容器６を介してポンプ３で揚水されて所定水位まで入れられている。環境試験装置１では、冷凍機用機器、送風機１５、加熱器１６、加湿ヒータ１２１等が運転され、温度センサ２４及び湿球温度センサ１１２によって試験室１３内の温度及び湿度が検出され、送風機１５で循環される空気が目的とする温度及び湿度に制御され、試験室１３に入れられた試料Ｗがそのような環境条件の下で試験される。
【００３３】
環境試験装置１が運転されると、ウイックパン１１及び加湿皿１２の水が蒸発し、その水蒸気が循環空気に含まれて試験室内の壁面や試料に結露したり換気によって持ち出されて消失し、水の継続した蒸発によってウイックパン１１及び加湿皿１２の水位が一定以下に下がると、フロートスイッチ１１３が作動してポンプ３が運転され、水位センサ容器６の水がポンプ３で吸い上げられて揚水され、ウイックパン又は加湿皿内に水が補給され、その水位が回復する。
【００３４】
水位センサ容器６の水が送出されてその水位が下がると、貯水容器４から水位センサ容器６に水が流入し、水位センサ容器６の水位が貯水容器４の水位と同じ水位まで回復する。即ち、逆止弁４５及び吸気口４２を介する貯水容器４の水面低下に対応した外気の流入、継手５及び接続管５３を介する貯水容器４から水位センサ容器６への水の移動、及び、水位センサ容器６内の水面上昇に対応したオーバーフロー管６５からの空気の流出が同時に起こり、それぞれの容器が圧力を持ったり負圧になることなく速やかにそれぞれの水位が均衡することになる。
【００３５】
貯水容器４及び水位センサ容器６の水位が「給水」ｈ１  になると、警報ランプ２５１が点灯する。これにより、貯水容器４に水を補給することになる。なお、貯水容器４と水位センサ容器６とが接続されているときには、「給水」ｈ１  と「渇水」ｈ２  までの間に十分な水量があり、通常の運転状態では、仮に数日間これを見落としていたとしても、ポンプ３の運転が停止する「渇水」ｈ２  になることはない。従って、継続してウイックパン１１や加湿皿１２に水補給をすることができる。
【００３６】
貯水容器４への水の張り込みは、雌形継手５２とキャップ４４及びこれに付着した逆止弁付き吸気口４２とが一体となった状態で貯水容器４を純水供給設備のある場所まで持って行き、キャップ４４を取り外して容器内に純水を入れる。水は、水位センサ容器６の満水ｈ３  に相当するレベル位まで入れられる。この場合、貯水容器４にはワンタッチで嵌脱できる雌形継手５２と、外部との接続のないキャップ４４とが付着しているだけであるから、貯水容器４を環境試験装置の支持台２３１上から取り外し、純水供給設備のある場所まで持って行って水を入れる作業は容易なものである。
【００３７】
なお、雌形継手５２が雄形継手５１と離されているときには、両継手がそれぞれ独立して閉鎖しているので、運搬中に貯水容器４の水が外に出ないと共に、水位センサ容器６内の水が漏れることもない。又、本例では水回路のように逆止弁４５を設けているので、貯水容器４の運搬中に吸気口４２から水が溢れ出ることがなく、取り扱いが一層容易である。
【００３８】
貯水容器４に水を張り込んでその水を送水可能にするには、これを支持台２３１上に乗せて所定位置に設置し、フレキシブルな接続管５３に付いている雄形継手５１を貯水容器４  の先端位置にある雌形継手５２に差し込む。
【００３９】
これにより、継手５を介して貯水容器４と水位センサ容器６との間が導通し、ｈ３  に相当する貯水容器４の水位と水位センサ容器６の水位との間に水位差が生じ、前記の如く貯水容器４に外気が流入すると共に水位センサ容器６内からオーバーフロー管６５を介して空気が排出され、これと同時に貯水容器４から水位センサ容器６に水が移動し、水位センサ容器６の水位がほぼｈ３  の満水状態まで回復する。貯水容器４にｈ３  より高く水が入っているときには、水位センサ容器６の水位がｈ３  以上になる可能性があるが、そのときには、余分な水はオーバーフロー管６５から流出する。このように水が補給されると、再び長期間にわたってウイックパン１１及び加湿皿１２に水補給をすることができる。
【００４０】
水位センサ容器６の水位がｈ１  になって貯水容器４を支持台２３１から取り外して水補給をしているときに、ウイックパン１１及び加湿皿１２が低水位になると、ポンプ３が作動して水位センサ容器６の水が取り出され、その水位がｈ１  から更に低下する。このときの必要な水の取り出し量は小量であり、本例の環境試験装置１では２６ｃｃであるため、水位センサ容器６を貯水容器４より十分小さい容量ではあるがｈ１  からｈ２  まで前記の如く５０ｃｃ程度の水量にしているので、ポンプの作動によって水が取り出されても、水位センサ容器６の水位が「渇水」ｈ２  より低下することはない。
【００４１】
従って、ウイックパン１１及び加湿皿１２に確実に水を補給することができる。その結果、貯水容器４を装着位置から取り外して水を注入している時にも、環境試験装置１の連続運転を維持することができる。そして、ウイックパン及び加湿皿に一度水補給をすれば、通常の運転状態では次の水補給まで相当の時間的余裕があるので、貯水容器４への水注入を急いでするような必要性は全くない。又、このときに貯水容器４を清掃することができる。ケミカル洗浄等のために、ある程度時間を掛けることも可能である。
【００４２】
以上の如く、貯水容器４と水位センサ容器６とを分離し、オーバーフロー管６５やポンプ３との接続の管系３１やフロートスイッチ６３、６４の電気配線等の外部との接続部分を全て水位センサ容器６に付属させ、水位センサ容器６には貯水容器４よりも十分小さい所定の容積を持たせ、貯水容器４を運搬可能な適当な容量のものにすることにより、水位センサ容器６を貯水容器４と同レベルに容易に配置できること、水位センサ容器６だけでもウイックパン及び加湿皿への当面必要になったときの水補給ができること、それによって貯水容器４が水位センサ容器６から分離可能なこと、その結果常にウイックパン及び加湿皿への水補給を可能な状態に維持して環境試験装置の連続運転を確保できること、貯水容器と水運搬用タンクとが兼用されていること、そして環境試験装置の運転操作の容易化や配置の合理化を図ることができるという、種々の作用効果を得ることができる。
【００４３】
図３は本発明を適用した水回路の他の例を示す。なお、図３は図１（ａ）に対応した図であるが、貯水容器４及びウイックパン１１の一部分の図示を省略している。これらの部分は図１（ａ）のものと同じである。
【００４４】
本例の水回路は、図１（ａ）の水回路に加えて、補給水容器としての補給水タンク７、補給用管系８、開閉弁としての電磁弁９、等からなる補助的な水補給設備を備えている。補給水タンク７は、水位センサ容器６より十分大きい容積として、本例では、そのほぼ１０倍程度の容積を持ち、水位センサ容器６より高い位置として図２にも示すようにウイックパン給水器１１４と同じ配置スペースの中段位置に設けることもできる。
【００４５】
補給用管系８は、補給用水タンク７から水位センサ容器６への水補給を可能にする。このため本例では、仮に大きく示しているが接続管５３の継手５と同じ継手５によってそれらの間が接続される。なお、継手５を止めて常時接続しておくことも可能である。電磁弁９は、補給用管系８に設けられていて、水位検出手段として本例では低水位用フロートスイッチ６３及び高水位用フロートスイッチ６４の両方で検出した水位である「給水」ｈ１  及び「満水」ｈ３  に対応して開閉される。即ち、ｈ１  で開にされｈ３  で閉にされる。なお、ｈ３  はオーバーフローレベルを形成する仕切壁６６の高さより少し低く設定される。
【００４６】
環境試験装置１は、試験されるべき試料の種類や試験内容に対応して種々の温度及び湿度条件で運転される。そしてその条件の中には、相対湿度８５％以上の高湿連続運転条件もある。そのような条件では、加湿ヒータ１２１が高負荷で運転されて水の蒸発量が多くなり、貯水容器４を搬送の容易な程度の大きさにすると、加湿器への３日間の水補給ができず、土日の連休を含む２日乃至３日間の無人連続運転ができないことがあった。
【００４７】
本例の水回路によれば、このようなときに、補給用水タンク７に例えば５リットル程度の水を入れて継手５を接続する。その結果、貯水容器４の水が水位センサ容器６を介してウイックパン及び加湿皿に補給され、例えば２日間でその水位が「給水」ｈ１  になると、電磁弁９が開いて水位センサ容器６の水位がｈ１  から「満水」ｈ３  になり、この動作が繰り返される。その結果、３日間以上にわたって給水行為を省力化して運転をすることができる。
【００４８】
この場合、補給用水タンク７から水位センサ容器６に水が入ると、水位センサ容器６と導通している貯水容器４の水位も上昇しようとするが、本例の水回路のように吸気専用の逆止弁４５を設けているときには、内圧が発生するために貯水容器４の水位は殆ど上昇せず、水位センサ容器のみに６に水を補給することができる。なお、水位センサ容器６はオーバーフロー管で外気に導通しているため、その中では補給用水タンク７の水位による圧力は生じないので、ポンプ３の吸入側の圧力は変動せず、従ってポンプの吐出量がほぼ一定値で安定するため、給水量が多くなってウイックパン等に過剰に給水されるような不具合は発生しない。
【００４９】
【発明の効果】
以上の如く本発明によれば、請求項１の発明においては、水回路を、環境試験装置のウイック用水保有容器と加湿用水保有容器とにポンプを介して水を供給可能なポンプ圧送式にしているので、ヘッドタンク式における水漏れトラブル、ヘッドタンクへの水補給のための高所への水の運搬作業、エアーロックによる水補給の不良、等の諸問題を解消することができる。
【００５０】
この水回路の貯水容器は、所定の構成を備えたソケット状管継手の一方側部材が取り付けられた水出口を備えているので、ソケット状管継手の他方側部材との間を接離させることにより、分離させたときにも水を入れた状態で保持することができる。又、貯水容器は少なくとも外気を導入可能な空気用開口部を備えているので、容器内に外気を導入しつつ水出口から水を出すことができる。
【００５１】
又、この容器は例えばキャップを開けて水が入れらる可搬式容器になっていて固定設置されず人が運搬可能なように形成されているので、これを水運搬用タンクとして使用できれば、従来の装置のように二段積みにした別の携帯式の水運搬用タンクが不要になる。その結果、環境試験装置の全体の高さを押さえて省スペース化を図ることが可能になる。
【００５２】
小貯水容器は、貯水容器の水が入れられるように他方側部材と接続され水が取り出されるようにポンプと接続されて固定配置されされている。ここで、一方側部材と他方側部材とが接続容易に形成されているので、貯水容器と小貯水容器とを容易に接続して合体させ、両方の容器によってウイック用及び加湿用水保有手段に水補給をすることができる。又、小貯水容器は、貯水容器より十分小さい容積のものになっているので、どこにでも設置可能である。従って、貯水容器が置かれる場所と同レベルに隣接して配置することができる。その結果、前記の如く環境試験装置の省スペース化を図ることができる。
【００５３】
又、小貯水容器の十分小さい容積を所定の容積として、通常十分少ない量であるウイック用及び加湿用水保有手段への補給水量の少なくとも１回分を供給可能な容積にすることにより、貯水容器を小貯水容器から分離させたときにも水補給が可能になる。従って、環境試験装置の運転の連続性を維持することができる。そして、貯水容器への水注入や貯水容器のある程度時間のかかる洗浄も容易に行うことができる。
【００５４】
又、小貯水容器に水の水位を検出可能な水位検出手段を設けているので、これにより、水位表示やアラームランプやアラームベル等の通常の報知手段で運転者に水位状態を知らせることができる。その結果、運転者は適当なタイミングで貯水容器を小貯水容器から切り離して貯水容器に注水することができる。更に、外気に導通する導通口を備えているので、貯水容器と小貯水容器とを接続したときに、小貯水容器内の空気を出して貯水容器からの水を導入し、小貯水容器の水位を高い位置に上昇復帰させることができる。
【００５５】
以上の如く、貯水容器と小貯水容器を分離構造にし、貯水容器には、移動性を妨げることのない接離容易なソケット状継手の一方側部材を取り付けた水出口と空気用開口部とを設け、小貯水容器には、移動性を阻害するポンプとの接続や水位検出手段の外部電気配線との接続や水位検出手段自体を設け、更に貯水容器を可搬式にして小貯水容器を貯水容器より十分小さい所定の容積にすることにより、貯水容器の開口孔を最小限にして水入れ運搬中及び設置使用中における水漏れのおそれが殆ど解消できること、小貯水容器を貯水容器と同レベルに容易に配置できること、小貯水容器だけでもウイック用及び加湿用水保有手段に当面必要になったときの水補給ができること、それによって貯水容器が小貯水容器から分離可能なこと、その結果常にウイック用及び加湿器用水保有手段への水補給を可能な状態に維持して環境試験装置の連続運転性を確保できること、常備タンクと水運搬用タンクとが兼用され備品管理が不要になっていること、そして環境試験装置の運転操作の容易化や配置の合理化を図れること等、種々の作用効果を得ることができる。
【００５６】
請求項２の発明においては、空気用開口部に逆止弁を設けているので、貯水容器には外気の導入だけが可能になる。その結果、貯水容器に水を注入して運搬するときや設置時やその他の異常時にも、水が外にこぼれるような不具合が起こらない。従って、水入れ作業等を一層容易にすることができる。なお、外気の導入は可能なので、水面は自由に下がり小貯水容器への送水性は確保される。
【００５７】
請求項３の発明においては、補助的な水補給設備を設け、その一部分として、小貯水容器より十分大きい容積を持ちこれより高い位置に設けられた補給水容器を設けているので、環境試験装置で連続高湿度運転をして加湿用水保有手段に補給すべき水量が極めて多くなったときでも、補給水容器の水を追加の補給水とし、貯水容器に水を注入補給することなく、即ち人手作業を必要とすることなく、連続高湿度運転中の水補給が可能になる。
【００５８】
又、補給水容器から小貯水容器への水の補給を可能にする補給用管系を設けているので、小貯水容器を経由して水補給することができる。従って、補給水容器を直接ポンプの吸込管に接続する場合のように、ポンプが高い位置にある補給水容器の水位による圧力の影響を受けない。その結果、ポンプの供給量が変動せず、精度良く水補給をすることができる。
【００５９】
更に、補給用管系に設けられ水位検出手段で検出した水位に対応して開閉される開閉弁を設けているので、貯水容器の水位が低下しこれに伴って小貯水容器の水位が低下したときに、補給用管系を自動的に開通させ、補給水容器からの追加の水供給によって小貯水容器の水位を回復させ、ウイック用及び加湿用水保有手段への水補給可能な状態を確保することができる。又、以上のような補助的な水補給設備は、ポンプ圧送式水回路になっているので、基本的にその利点を保持している。
【図面の簡単な説明】
【図１】本発明を適用した水回路の説明図で、それぞれ、（ａ）は全体系統、（ｂ）は水位センサ容器、（ｃ）は貯水容器の配置、（ｄ）は継手の構成例を示す。
【図２】上記水回路を含む環境試験装置の全体構成の一例を示す説明図で、（ａ）及び（ｂ）はそれぞれ一部断面を含む側面状態及び平面状態を示す。
【図３】本発明を適用した水回路の他の構成例を示す説明図である。
【符号の説明】
１            環境試験装置
３            ポンプ
４            貯水容器
５            管継手（ソケット状管継手）
６            水位センサ容器（小貯水容器）
７            補給水タンク（補給水容器）
８            補給用管系
９            電磁弁（開閉弁）
１１          ウイックパン（ウイック用水保有容器）
１２          加湿皿（加湿用水保有容器）
４１          水出口
４２          吸気口（空気用開口部）
４５          逆止弁
５１          雄形継手（他方側部材）
５２          雌形継手（一方側部材）
６３          低水位用フロートスイッチ（水位検出手段）
６４          高水位用フロートスイッチ（水位検出手段）
６５          オーバーフロー管（導通口）
【図１】
0003560944.tif 000002
【図２】
0003560944.tif 000003
【図３】
0003560944.tif 000004